(57)【要約】【課題】  建築物躯体内に埋設固定しておくことができ、必要時に建築物躯体からの突出長を調整可能な係止治具と、係止治具を建築物躯体に取り付けておいても不使用時に邪魔にならず、使用時に建築物躯体の表面から室内まで突出させることができる建築物躯体構造と、建築物躯体に確実かつ安定した状態で内装品を係止できる内装品係止構造を提供する。【解決手段】  本発明の内装品係止治具は建築物躯体へ埋設固定される雌部材と、雌部材の挿入孔内に挿入可能な雄部材を備えている。雄部材は突出長を調節可能である。本発明の建築物躯体構造は、係止治具の雌部材が建築物躯体に埋設固定され、その雌部材に雄部材が挿入されているか又は挿入されていないものである。本発明の内装品係止構造は、建築物躯体に埋設固定された雌部材から雄部材が突設され、その突出部に内装品が係止された構造である。【選択図】    図１
2019126718.tif 000002
【特許請求の範囲】
【請求項１】
建築物躯体への内装品の取り付けに用いる係止治具において、
建築物躯体へ埋設固定される雌部材と、当該雌部材の挿入孔内に挿入可能な雄部材を備え、
雌部材は挿入孔を備え、挿入孔の軸方向一端に開口部を備えた筒状であり、
雄部材は前記挿入孔に挿入可能な挿入軸と、その軸方向先端に設けられた頭部を備え、当該頭部は雄部材を雌部材の挿入孔内の奥まで挿入すると挿入孔の前記開口部を覆うことのできる大きさであり、
前記雌部材と雄部材は、雌部材の挿入孔内に挿入された雄部材の突出長を調節可能な調整機構を備えている、
ことを特徴とする内装品係止治具。
【請求項２】
請求項１記載の内装品係止治具において、
雌部材の挿入孔の軸方向であって開口部と反対側に底板を備え、底板に止め孔が開口されている、
ことを特徴とする内装品係止治具。
【請求項３】
請求項１又は請求項２記載の内装品係止治具において、
雄部材の頭部表面に、建築物躯体自体の装飾、或いは壁の表面に張った表面材の装飾と同じ又は同種の装飾又はそれら装飾と異なる装飾が施された、
ことを特徴とする内装品係止治具。
【請求項４】
請求項１から請求項３のいずれか１項に記載の内装品係止治具において、
雄部材の挿入軸であって頭部よりも内側に、建築物躯体と雄部材に係止する内装品との間にスペースを確保可能なスペース確保部を備えた、
ことを特徴とする内装品係止治具。
【請求項５】
建築物躯体に係止治具を備えた建築物躯体構造において、
請求項１から請求項４のいずれか１項に記載の内装品係止治具の雌部材が建築物躯体に埋設固定され、
前記雌部材はその挿入孔の開口部が、躯体表面とほぼ面一に埋設固定された、
ことを特徴とする建築物躯体構造。
【請求項６】
建築物躯体に係止治具を備えた建築物躯体構造において、
請求項１から請求項４のいずれか１項に記載の内装品係止治具が建築物躯体に埋設固定され、
前記雌部材はその挿入孔の開口部が、建築物躯体表面とほぼ面一に埋設固定され、
前記雄部材は前記雌部材の挿入孔内に挿入されて、挿入孔からの突出長を調節可能である、
ことを特徴とする建築物躯体構造。
【請求項７】
請求項６記載の建築物躯体構造への内装品係止構造において、
建築物躯体と、雄部材に係止された内装品との間に、空間が確保されている、
ことを特徴とする建築物躯体への内装品係止構造。
【発明の詳細な説明】
【技術分野】
【０００１】
本発明は、建物の柱、壁、床、天井、躯体等（本願において、これらをまとめて「建築物躯体」という。）に、装飾パネル、吊り棚や設置棚等の棚、収納ボックス、家具等（本願において、これらをまとめて「内装品」という。）を取り付けたり、吊り下げたり、係止したりする（本願において、「係止」という。）ことのできる内装品係止治具（本願において、「係止治具」という。）と、係止治具を備えた建築物躯体構造と、当該躯体に装備された係止治具に内装品を係止した建築物躯体への内装品係止構造に関する。
【背景技術】
【０００２】
マンション、ビルといった共同住宅、戸建て住宅等（本願において、「建築物」という。）の柱や壁には内装品を取り付けることがある。その場合、通常は、柱や壁に釘、螺子、フック等の治具を取り付け、その治具に内装品を取り付けている。治具の一例として特許文献１がある。
【０００３】
しかし、建築物が賃貸物件の場合は、入居者（賃借人）が建築物躯体に治具を取り付けること（後付けすること）は禁止されている。このため、特許文献１の治具は賃貸物件では使用することができない。後付けが禁止されていない賃貸物件では使用できるが、主として、衣服等の吊り下げに利用するものであって、パネルのように厚さがあり面積の広い内装品や、吊り下げ家具、棚等のような重量物の取り付けには不向きであった。また、常に壁の表面よりも室内に突出しているため、不使用時には邪魔になるといった課題がある。
【０００４】
本件出願人である株式会社ベストは、先に、非特許文献１の治具を開発した。この治具は、壁の施工時に壁に埋め込んでおく筒状の固定部と、その固定部内に出し入れ可能な可動部を備えており、不要時には可動部を固定部内に押し込んでおくことができ、使用時に可動部を回転させると可動部が固定部の外に飛び出して、壁の表面よりも外に突出し、突出した可動部に内装品を取り付け可能とし、不使用時には押し戻し可能としたものである。
【先行技術文献】
【特許文献】
【０００５】
【特許文献１】特開２０１１−７８４６４号公報
【非特許文献】
【０００６】
【非特許文献１】株式会社ベスト開発の商品カタログ『建築金物総合カタログ』（ＵＲＬ：http://www3.best-x.co.jp/besthp/prod/web_catalog/sougou/index.html）
【発明の概要】
【発明が解決しようとする課題】
【０００７】
非特許文献１の治具は後付けする必要がないため、前記後付け禁止の課題は解決できるが、可動部の突出長が一定であり、調節することができないため、突出長が短い場合は係止できる内装品が限られる、突出長が長すぎる場合は邪魔になるという難点がある。
【０００８】
本発明の課題は、建築物躯体内に埋設固定しておくことができ、必要時に建築物躯体からの突出長を調整可能な係止治具と、係止治具を建築物躯体に取り付けておいても不使用時に邪魔にならず、体裁もよく、使用時に建築物躯体の表面から室内まで突出させることができる建築物の躯体構造と、建築物躯体に確実かつ安定した状態で内装品を係止できる内装品係止構造を提供することにある。
【課題を解決するための手段】
【０００９】
［係止治具］
本発明の係止治具は、建築物躯体へ埋設固定可能な雌部材と雄部材を備える。雌部材は内部に挿入孔を備えた筒状であり、挿入孔の軸方向一端に開口部があり、開口部が建築物躯体の表面とほぼ面一となるように建築物躯体に埋設固定可能である。雄部材は雌部材の挿入孔内に挿入可能な軸部と挿入孔の開口部を閉塞可能な大きさの頭部を備えている。雌部材と雄部材には挿入孔からの雄部材の突出長を調整可能な調整機構がある。雄部材はその頭部が挿入孔の開口部とほぼ面一になるまで挿入孔内に挿入することができ、開口部から突出させて内装品を取り付けることができる。
【００１０】
［建築物躯体構造］
本発明の建築物躯体構造は、前記係止治具の雌部材が建築物躯体に埋設固定されたものであり、開口部が建築物躯体の表面とほぼ面一に建築物躯体に埋設固定されたものである。この場合、雌部材の挿入孔には雄部材を挿入しておいても、挿入しておかなくてもよい。挿入しておく場合は、雄部材の頭部を雌部材の開口部とほぼ面一に挿入しておき、使用時に頭部側を挿入孔の開口部から室内側に突出させることができるようにしておく。
【００１１】
［内装品係止構造］
本発明の内装品係止構造は、前記建築物躯体構造における雄部材の頭部側を、雌部材の挿入孔の開口部から室内側に突出させ、その突出部に内装品の係止部又は内装品に取り付けた係止具の係止部を係止したものである。
【発明の効果】
【００１２】
［係止治具の効果］
本発明の係止治具は、雌部材からの雄部材の突出長を調節できるため、建築物躯体施工時に雌部材を建築物躯体に取り付けておくことにより、パネルのように厚さのあるもの、奥行きや重量のある棚、収納ボックス、家具をはじめ、様々な内装品を建築物躯体に取り付けるのに利用することができる。
【００１３】
［建築物躯体構造の効果］
本発明の建築物躯体構造は次のような効果がある。
（１）建築物躯体施工時に、係止治具の雌部材を建築物躯体に埋設固定しておくことで、治具の後付け作業が不要となる。この場合は賃貸物件の場合は賃借人が気兼ねなく建築物躯体に内装品を取り付けることができる。
（２）雌部材からの雄部材の突出長を調節するだけで雄部材に内装品を確実且つ安定に係止することができる。
（３）不使用時に雄部材を雌部材内に挿入しておくことができるので雄部材が邪魔にならず、建築物躯体に取り付けておいても室内の体裁がよく、雄部材に接触することもないので安全であり、雌部材を建築物躯体から取り外す必要もないため、建築物躯体に取り外し跡が残ることもない。
【００１４】
［内装品係止構造の効果］
本発明の内装品係止構造は、建築物躯体に埋設固定されている係止治具に、内装品の係止部又は内装品に取り付けた係止具を係止してあるため、内装品を確実且つ安定した状態で雄部材に係止可能である。
【図面の簡単な説明】
【００１５】
【図１】本発明の係止治具と係止具の一例を示す斜視図。
【図２】（ａ）は本発明の係止治具を備えた壁の一例を示す説明図、（ｂ）は壁に埋設した係止治具にパネルを取り付けた状態の説明図。
【図３】（ａ）は壁に埋設した本発明の係止治具の雌部材に、雄部材を壁面とほぼ面一に挿入した状態の説明図、（ｂ）は雄部材の一部を壁面よりも室内側に突出させた状態の説明図。
【図４】（ａ）〜（ｆ）は本発明の係止治具を壁に取り付ける場合の説明図。
【図５】図４（ｆ）の詳細図。
【図６】本発明の係止治具の雌部材の意匠図であって、（ａ）は正面図、（ｂ）は背面図、（ｃ）は左側面図、（ｄ）は右側面図、（ｅ）は平面図、（ｆ）は底面図。
【図７】本発明の係止治具の雄部材の意匠図であって、（ａ）は正面図、（ｂ）は背面図、（ｃ）は左側面図、（ｄ）は右側面図、（ｅ）は平面図、（ｆ）は底面図。
【図８】本発明の係止治具の雌部材に雄部材の一部をねじ込んだ状態の意匠図であって、（ａ）は正面図、（ｂ）は背面図、（ｃ）は左側面図、（ｄ）は右側面図、（ｅ）は平面図、（ｆ）は底面図。
【図９】係止具の一例を示す意匠図であって、（ａ）は正面図、（ｂ）は背面図、（ｃ）は左側面図、（ｄ）は右側面図、（ｅ）は平面図、（ｆ）は底面図。
【図１０】本発明の係止治具の他例を示すものであって、（ａ）は雌部材の左側面図、（ｂ）は（ａ）の縦断面図、（ｃ）は雄部材の左側面図。
【図１１】係止具の他例を示すものであって、（ａ）は斜視図、（ｂ）は（ａ）のＸ−Ｘ断面図。
【発明を実施するための形態】
【００１６】
（係止治具の実施形態）
本発明の係止治具の実施形態の一例を、図面を参照して説明する。係止治具１は壁、柱等のいずれの建築物躯体にも埋設固定可能であり、パネル、棚、収納ボックス、家具等のいずれの内装品も係止可能であるが、以下の例では、建築物躯体Ｘが壁の場合であり、内装品Ｙがパネルの場合について説明する。
【００１７】
係止治具１は図１に示すように雌部材２と、その内部に挿入可能な雄部材３を備えている。雌部材２は図２（ａ）のように壁Ｘに埋設しておき、図２（ｂ）のように壁ＸにパネルＹを係止するときに、雄部材３を雌部材２から壁Ｘの外（室内）まで突出させ、その雄部材３にパネルＹを係止可能なものである。
【００１８】
図１に示す雌部材２は挿入孔４を備えた円筒状であり、挿入孔４は軸方向一端に開口部５があり、他端に底板６のある有底孔であり、壁Ｘ内に埋設可能な長さである。挿入孔４の内周面軸方向には雌ネジ７がある。雌ネジ７は挿入孔４の開口部５側から底板６の近くまで連続して設けられている。挿入孔４の内周面であって底板６の近くは雌ネジ７のない底板側平滑部８（図３（ａ）（ｂ））としてある。雌部材２の底板６の中央には止め孔９（図１）がある。止め孔９には止めネジ１０（図３（ａ）（ｂ））を差し込み、その止めネジ１０を壁Ｘにねじ込むことにより雌部材２を壁Ｘに固定可能である。
【００１９】
雌部材２の外周面にはリング状の突条１１が数本形成されている。突条１１は開口部５側のものが最も高く、底板６側に向けて次第に低くし、最も底板６寄りの箇所は突条１１のない底板側無ネジ部１２として、壁Ｘに開口した下孔Ｚ（図４（ａ））に底板６側から圧入し易くし、圧入後は抜けにくくなるようにしてある。突条１１はリング状ではなく螺旋状であってもよい。
【００２０】
雌部材２はその外周面全体を底板６側から開口部５側に先細りのテーパ面とし、図１の場合と同様に、その内周面に雌ネジ７を、外周面に突条１１を設けることもできる。この場合は、開口部側無ネジ部１３が開口部５側に向けて先細りのテーパ面となる。
【００２１】
前記雄部材３は雌部材２の挿入孔４内に挿入可能な挿入軸１４（図１）と、挿入孔４の開口部５を閉塞可能な大きさの円盤状の頭部１５を備えている。挿入軸１４は棒材の外周面に雄ネジ１６（図１）が切られている。雄ネジ１６は雌部材２の挿入孔４の内周面の雌ネジ７と螺合可能なネジであり、時計回転でねじ込まれ、逆回転で戻るネジである。挿入軸１４の軸方向であって頭部１５寄りの箇所には雄ネジ１６のないスペース確保部１７（図３（ｂ））があり、それよりも頭部１５寄りの箇所は径の細い細径部１８（図３（ｂ））としてある。スペース確保部１７は図５のように壁Ｘの表面と係止治具１に係止したパネルＹの裏面との間に空間２８を確保するためのものである。
【００２２】
頭部１５は平板状であり、挿入軸１４の先端側に形成されている。頭部１５の直径は雌部材２の開口部５の直径よりも大きくしてあり、雄部材３を雌部材２の挿入孔４内の奥まで挿入する（ねじ込む）と、頭部１５によって開口部５が閉塞されるようにしてある。頭部１５の正面ほぼ中央部には操作部１９（図１）がある。図１の操作部１９はプラスドライバーで回転操作可能な十字形の凹溝であるが、操作部１９はマイナスドライバーで回転操作可能な−形状の凹溝とか、六角レンチで回転操作可能な角形の凹部、その他の任意形状とすることができる。雄部材３は不使用時には図３（ａ）のように頭部１５が雌部材２の開口部５とほぼ面一になるまで挿入することができ、使用時には図３（ｂ）のように開口部５から室内まで突出して、図２（ｂ）及び図５のようにパネルＹを係止可能としてある。
【００２３】
頭部１５の表面は壁Ｘの模様、色等の装飾と同一の装飾を施しておくことができる。壁Ｘの装飾と同一の装飾を施すことで、雄部材３を雌部材２の挿入孔４の奥まで挿入して頭部１５の表面を壁Ｘとほぼ面一にしたときに、壁Ｘの体裁と一体化して目立たず、壁Ｘの体裁が損なわれないようにすることができる。頭部１５は雌部材２の挿入孔４内に挿入すると、挿入孔４の開口部５を閉塞でき、開口部５から突出させると、パネルＹを係止可能であれば他の形状、構造であってもよい。
【００２４】
雌部材２の挿入孔４の雌ネジ７と雄部材３の外周面の雄ネジ１６は互いに噛み合って雄部材３の突出長を調整可能な調整機構２０を構成する。調整機構２０は雌ネジ７と雄ネジ１６の螺合以外の構成であってもよい。例えば、雄部材３の挿入軸１４を雌部材２の挿入孔４内に出し入れ可能とし、出し入れの途中で段階的に位置決め可能とした構成、その他の構成であってもよい。
【００２５】
図１の雌部材２は意匠的には図６（ａ）〜（ｆ）のような外観を、雄部材３は意匠的には図７（ａ）〜（ｆ）のような外観を、雌部材２に雄部材３を螺合した場合の係止治具１は意匠的には図８（ａ）〜（ｆ）のような外観を夫々呈する。
【００２６】
（係止治具のその他の実施形態）
前記実施形態では、雌部材２の外周の開口部５側の突条１１が、開口部５側の端部から離れた位置に設けられているが、開口部５側の突条１１は、図１０（ａ）に示すように雌部材２の端部に位置するようにしてもよい。開口部５側の突条１１が雌部材２の端部に位置するようにした場合、壁Ｘに開口した下孔Ｚ（図４（ａ））とその下孔Ｚに挿入した雌部材２との隙間が目立ちにくく、体裁が良くなる。
【００２７】
前記実施形態では、雌部材２の底板６の厚さを雌部材２の他の部分（筒状部）の厚さと同程度としてあるが、底板６は、図１０（ｂ）のように、雌部材２の他の部分より厚くすることもできる。例えば、雌部材２の他の部分の厚さが２ｍｍ程度である場合に、底板６の厚さを１０ｍｍ以上（例えば１３ｍｍ以上）などとすることができる。底板６を厚くした場合、止めネジ１０を差し込む止め孔９が深くなり、止めネジ１０を真っ直ぐに差し込みやすくなる。なお、前記数値は一例であり、雌部材２の厚さはこれ以外であってもよい。
【００２８】
前記実施形態では、雄部材３の頭部１５の裏面１５ａがテーパー状であるが、頭部１５の裏面１５ａは図１０（ｃ）のような平坦面とすることもできる。頭部１５の裏面１５ａを平坦面とした場合、テーパー状の場合に比べて係止具２１の表面側との接触面積が広くなり、抵抗が大きくなる。このため、地震などによって振動が生じても雄部材３が回転しにくく、雄部材３が雌部材２から不用意に脱落するリスクが低減する。
【００２９】
前記実施形態では、特に触れていないが、雄部材３の挿入軸１４の外周や雌部材２の挿入孔７の内面には、緩み止め剤を塗布しておくこともできる。緩み止め剤には、雄部材３が回転しないように雌部材２に完全に固定するタイプのもの（全固定タイプ）と、ドライバーなどで回せば雄部材３を回転させられるタイプのもの（半固定タイプ）とがあるが、本願では後者が適する。緩み止め剤には既存のものを用いることができる。緩み止め剤を塗布することで、地震などによって振動が生じても雄部材３が回転しにくく、雄部材３が雌部材２から不用意に脱落するリスクが低減する。緩み止め剤は、挿入軸１４の全体に塗布することもできるが、その先端部など、挿入軸１４の一部に塗布することもできる。なお、緩み止め剤は必要に応じて設ければよく、不要な場合には省略することができる。
【００３０】
係止治具１は金属製、特に、錆にくいステンレス製が適するが、ステンレス以外の材質、樹脂、その他の材質製とすることができる。
【００３１】
（建築物躯体構造の実施形態１）
本発明の建築物躯体構造の実施形態の一例を、図２〜図４を参照して説明する。図２（ａ）の建築物躯体構造は、前記係止治具１が壁Ｘの上下方向に等間隔で複数個設けられたものである。壁Ｘには係止治具１の雌部材２が埋設固定され、個々の雌部材２に雄部材３が螺合されている。雄部材３はねじ込み回転により図３（ａ）のように頭部１５の表面が壁Ｘの表面とほぼ面一になる位置までねじ込むことができ、戻し回転により図３（ｂ）のように壁Ｘの表面よりも室内側に突出させることができる。
【００３２】
図２（ａ）（ｂ）では係止治具１を壁Ｘに縦横に規則的に配置した場合を一例としているが、係止治具１の取り付け数、配置はこれ以外であってもよく、係止するパネルＹの形状、サイズ、重量等に応じて選定することができる。
【００３３】
係止治具１は次の手順で壁Ｘに取り付けることにより、係止治具１を備えた建築物躯体構造とすることができる。
（１）壁Ｘに下孔Ｚをあけ、その下孔Ｚ（図４（ａ））に雌部材２を圧入して固定する（図４（ｂ））。下孔Ｚの開口と雌部材２の圧入は建築物の施工時に行うことも、施工後に行うこともできる。雌部材２の埋設固定は圧入以外の手段で行うこともできる。例えば、下孔Ｚを雌部材２の外径よりも大きめにしておき、その下孔Ｚ内に雌部材２を差し込んで接着材で固定することもできる。
（２）下孔Ｚに圧入した雌部材２の底板６の止め孔９に止めネジ１０を差し込み、当該止めネジ１０を壁Ｘにねじ込む（図４（ｃ））。
（３）雄部材３（図４（ｄ））の挿入軸１４を雌部材２の挿入孔４に所定長ねじ込む（図４（ｅ））。この場合、雄部材３の頭部１５で雌部材２の開口部５を閉塞するまでねじ込んで、頭部１５の表面を図３（ａ）のように壁Ｘの表面とほぼ面一にしておくと、雄部材３が不使用時に邪魔にならない。また、ほぼ面一にした頭部表面に、建築物躯体自体の模様や色（装飾）、或いは壁Ｘの表面に張ったクロスその他の表面材の装飾と同じ又は同種の装飾を施すことにより、壁Ｘの体裁（外観）が損なわれない。必要であればこれとは逆に、頭部表面に前記装飾と異なる装飾を施すこともできる。
【００３４】
（建築物躯体構造の実施形態２）
前記実施形態の建築物躯体構造は、壁Ｘに埋設固定した雌部材２に雄部材３をねじ込んだ場合であるが、本発明の建築物躯体構造は、壁Ｘに埋設固定した雌部材２に雄部材３をねじ込んでおかなくともよい。この場合は、雌部材２の挿入孔４の開口部５が壁Ｘの表面に露出するため、開口部５の上に閉塞シート、例えば、クロスを貼って開口部５を隠しておくこともできる。この場合は、閉塞シートに雌部材２の埋設箇所を示す目印を付けておくのが望ましく、雄部材３にパネルＹを係止するときに、閉塞シートを開口し、その開口部から雌部材２に雄部材３をねじ込んで、雄部材３を壁Ｘの表面から室内に突出させ、その突出部にパネルＹを係止可能とすることもできる。
【００３５】
前記建築物躯体構造の実施形態１、２のいずれにおいても、壁Ｘへの雌部材２の固定は圧入以外であっても、例えば、壁Ｘにあけた下孔Ｚ内に差し込んだ雌部材２を接着剤により固定するとか、他の固定機構で固定することもできる。
【００３６】
（内装品係止構造の実施形態）
本発明の内装品係止構造の実施形態の一例を、図面を参照して説明する。この内装品係止構造は、壁Ｘに埋設固定されている係止治具１（図５）の雄部材３を壁Ｘの表面から室内に突出させ、その突出部にパネルＹを係止した例である。この例では、パネルＹの裏面に係止具２１（図１）の四隅を止め具２２（図５）で取り付け、そのパネルＹを雄部材３に係止した例である。パネルＹのサイズ、形状は任意とすることができる。
【００３７】
図１の係止具２１は基材の中央部に大径孔２３とそれよりも径の小さな小径孔２４が連通する係止孔２５を備えたものである。大径孔２３は雄部材３の頭部１５が通過できる大きさであり、小径孔２４は頭部１５が通過できない大きさであるが、雄部材３の細径部１８（図５）に係止できる内径にしてある。図１の小径孔２４の左右両内壁面２６は大径孔２３側に向けて次第に外広がりとなるテーパ面にして、雄部材３に係止し易くしてあるが、ストレート面であってもよい。係止具２１の四隅にはパネルＹへの取り付けに用いる止め孔２７が開口されている。係止具２１は図４（ｆ）のようにパネルＹの裏面に釘やネジ等の止め具２２によりパネルＹの裏面に固定する。
【００３８】
本発明の内装品係止構造は、雌部材２にねじ込まれている雄部材３を雌部材２から突出させ、前記係止具２１を固定したパネルＹを雄部材３に係止してパネルＹを壁Ｘに取り付けてある。この場合、係止具２１の大径孔２３（図１）を雄部材３に被せてからパネルＹの高さを下げて雄部材３の細径部１８に小径孔２４（図１）を係止して取り付ける。雄部材３の突出長を調整することにより、雄部材３に肉の厚いパネルＹでも薄いパネルＹでも取り付けることができる。パネルＹを雄部材３の細径部１８に係止することにより、壁Ｘに取り付けるパネルＹを位置決めし易くなり、パネルＹの係止が確実になり、係止したパネルＹが安定する。雄部材３にスペース確保部１７（図５）があるためパネルＹの裏面と壁Ｘの表面との間に空間２８（図５）が確保される。この空間２８の前後幅ＳはパネルＹを手で持って図５のように雄部材３に係止するときに指が入る（指が挟まれない）広さにして、パネルＹの裏面と壁Ｘとの間に指が挟まれにくくなるようにしてある。なお、内装品Ｙを四点以上で支持する場合には、前記空間２８があってもがたつきにくいが、内装品Ｙを二点以下で支持する場合には、前記空間２８によって内装品Ｙががたつくことがある。この場合には、図１１（ａ）に示すような係止具２１を用いることもできる。
【００３９】
図１１（ａ）に示す係止具２１は、横長方形状の基材の中央に、横長方形状の横長孔２９と円形の小孔３０戸が連通する係止孔２５を備えている。横長孔２９の内径は雄部材３の頭部１５が通過できる大きさである。小孔３０は頭部１５が通過できないが、雄部材３の細径部１８（図５）に係止できる大きさである。係止孔２５を複数（例えば、四つ）の雄部材３に係止する場合、係止孔２５が小さいと位置合わせが難しいが、横長孔２９を備えている場合には、位置合わせがしやすくなる。この実施形態の係止具２１は樹脂製のものである。樹脂製とすることで、振動が生じても回りにくいようにしてある。
【００４０】
前記係止孔２５の内壁面３１のうち横長孔２９と小孔３０のつながり部分には、内向きに突出する係止突起３２が設けられ、両係止突起３２の間が狭くなっている。このため、両係止突起３２の隙間を通過して小孔３０に収まった雄部材３は、両係止突起３２によって規制され、横長孔２９へ抜けにくくなる。これにより、垂直方向の衝撃や振動による内装品Ｙの落下が防止される。
【００４１】
図１１（ａ）に示す係止具２１の表面側の小孔３０の上側には、三本のリブ３３が間隔をあけて突設されている。図１１（ｂ）に示すように、中央のリブ３３の表面は上側から下側に向けて傾斜するテーパー面である。他のリブ３３も同様のテーパー面である。リブ３３は三本より多くても少なくてもよい。このようなリブ３３を設けることで、係止具２１と雄部材３の頭部１５の密着性が高まり、内装品Ｙのがたつきを抑えることができる。特に、内装品Ｙの上部二点を支持するような場合、リブ３３がない係止具２１では、振動によって内装品Ｙががたつくことがあるが、リブ３３を設けることで、当該リブ３３の傾斜に雄部材３の頭部１５の裏面１５ａが面接触するため、振動が生じても内装品Ｙはがたつきにくい。
【００４２】
係止具２１の形状、構造は他のものであってもよく、パネル、その他の各種内装品の形状、大きさ、重量等に合わせて、ブロック状、その他の形状、サイズとすることができる。
【産業上の利用可能性】
【００４３】
本発明の係止治具の雌部材、雄部材の構造、形状、寸法等、建築物躯体構造、内装品係止構造は前記実施形態のものに特定されるものではなく、本発明の課題を解決可能な限り他の構造、構成とすることができる。内装品も前記実施形態に例示したものに限らず、棚、靴箱、クローゼット、ユニット式家具、絵画、その他のいずれのものであってもよい。
【符号の説明】
【００４４】
１        係止治具
２        雌部材
３        雄部材
４        挿入孔
５        （挿入孔の）開口部
６        底板
７        雌ネジ
８        底板側平滑部
９        止め孔
１０      止めネジ
１１      （雌部材の外周面の）突条
１２      底板側無ネジ部
１３      開口部側無ネジ部
１４      挿入軸
１５      （雄部材の）頭部
１５ａ    （頭部の）裏面
１６      雄ネジ
１７      スペース確保部
１８      細径部
１９      （頭部の）操作部
２０      調整機構
２１      係止具
２２      止め具
２３      大径孔
２４      小径孔
２５      係止孔
２６      （小径孔の）内壁面
２７      止め孔
２８      空間
２９      横長孔
３０      小孔
３１    内壁面
３２    係止突起
３３    リブ
Ｘ        壁（建築物躯体）
Ｙ        パネル（内装品）
Ｚ        下孔
【図１】
2019126718.tif 000003
【図２】
2019126718.tif 000004
【図３】
2019126718.tif 000005
【図４】
2019126718.tif 000006
【図５】
2019126718.tif 000007
【図６】
2019126718.tif 000008
【図７】
2019126718.tif 000009
【図８】
2019126718.tif 000010
【図９】
2019126718.tif 000011
【図１０】
2019126718.tif 000012
【図１１】
2019126718.tif 000013